(57)【特許請求の範囲】
【請求項１】
相手機に収容された用紙に関するプレゼンス情報を取得するとともに、前記相手機との間でファクシミリ信号を送受信する通信部と、
ユーザーの指示を受け付けるとともに、所定の情報を表示する操作パネルと、
前記相手機に収容された用紙に関するプレゼンス情報を蓄積する記憶部と、を備え、
前記相手機に収容された用紙に関するプレゼンス情報は、前記相手機が状態更新を行う度に前記相手機から通知されるとともに、前記記憶部に蓄積され、
前記相手機にファクシミリ信号を送信する際、
前記操作パネルは、前記記憶部に蓄積された前記相手機のプレゼンス情報に基づいて前記相手機に収容された用紙のサイズを表示し、前記相手機が互いに異なる複数種類のサイズの用紙を収容しているとき、前記相手機にて印刷出力させる用紙サイズの指定を受け付け、
前記通信部は、前記操作パネルが受け付けた用紙サイズでの印刷出力を指示する旨の指示信号を前記相手機に送信することを特徴とするファクシミリ装置。
【請求項２】
前記相手機にファクシミリ信号を送信する際、
前記操作パネルは、前記相手機での印刷出力時の印刷倍率の指定を受け付け、
前記通信部は、前記操作パネルが受け付けた印刷倍率での印刷出力を指示する旨の指示信号を前記相手機に送信することを特徴とする請求項１に記載のファクシミリ装置。
【請求項３】
前記操作パネルは、前記相手機に収容された用紙のサイズ名を指定キーとして表示し、選択された前記指定キーに対応する用紙サイズを、前記相手機にて印刷出力させる用紙サイズとして受け付けることを特徴とする請求項１または２に記載のファクシミリ装置。
【請求項４】
前記操作パネルは、前記指定キーに加えて、前記相手機にて印刷出力させる用紙サイズを指定しない旨を受け付けるための非指定キーを表示することを特徴とする請求項３に記載のファクシミリ装置。
【請求項５】
前記操作パネルは、前記非指定キーが選択されたとき、用紙サイズを指定せずにファクシミリ信号の送信を開始する旨を受け付けるための送信開始キーと、ファクシミリ信号の送信を中止する旨を受け付けるための送信中止キーと、を表示することを特徴とする請求項４に記載のファクシミリ装置。
【請求項６】
請求項１〜５のいずれかに記載のファクシミリ装置と、前記ファクシミリ装置と通信可能に接続される相手機と、を含むファクシミリ通信システム。
【発明の詳細な説明】
【技術分野】
【０００１】
本発明は、ファクシミリ装置およびファクシミリ通信システムに関する。
【背景技術】
【０００２】
通信システムにおいては、通信を制御するプロトコルとしてＳＩＰ（Ｓｅｓｓｉｏｎ  Ｉｎｉｔｉａｔｉｏｎ  Ｐｒｏｔｏｃｏｌ）などを利用する技術がある。なお、ＳＩＰは、ＩＥＴＥ（Ｉｎｔｅｒｎｅｔ Ｅｎｇｉｎｅｅｒｉｎｇ  Ｔａｓｋ  Ｆｏｒｃｅ）のＲＦＣ（Ｒｅｑｕｅｓｔ  ｆｏｒ  Ｃｏｍｍｅｎｔｓ）３２６１などで定義されている。
【０００３】
ここで、ＳＩＰを利用して提供されるサービスとして、プレゼンスサービスなどが知られている（たとえば、特許文献１参照）。
【０００４】
プレゼンスサービスとは、たとえば、自機の状態を示すプレゼンス情報を通信先である相手機に通知したり、相手機の状態を示すプレゼンス情報を自機に通知してもらったりするものである。なお、プレゼンスサービスは、たとえば、自機および相手機のそれぞれが接続されるネットワーク上にＳＩＰサーバー（プレゼンスサーバー）を設置することで実現される。
【０００５】
プレゼンスサービスを利用する場合、自機は、ＳＩＰサーバーに対して、相手機の状態を示すプレゼンス情報の通知依頼を行う。これによって、相手機に状態変化が発生すると、そのときの相手機の状態を示すプレゼンス情報が自機に送られてくる。したがって、自機は、相手機の状態をリアルタイムで把握することができる。
【０００６】
たとえば、ファクシミリ装置およびそれを含むファクシミリ通信システムにおいては、自機から相手機にファクシミリ信号を送信する前に、相手機に収容された用紙のサイズなどに関するプレゼンス情報を入手しておけば、相手機にて印刷出力される用紙サイズを事前に把握することができる。
【先行技術文献】
【特許文献】
【０００７】
【特許文献１】特開２００５−２７８０８４号公報
【発明の概要】
【発明が解決しようとする課題】
【０００８】
しかしながら、相手機に収容された用紙のサイズなどを事前に把握できたとしても、相手機にて印刷出力される用紙サイズは、相手機のユーザーによって設定されている。したがって、所定の用紙サイズの原稿を自機から相手機にファクシミリ送信する場合、所定の用紙サイズとは異なる用紙サイズで相手機にて印刷出力されることが多々ある。この場合には、印刷出力される画像（文書）が縮小されたり、途中で切れたりするという不都合が発生することがある。すなわち、相手機にて印刷出力される内容が不明確になる。
【０００９】
本発明は、上記課題を解決するためになされたものであり、相手機にて印刷出力される内容が不明確になるのを抑制することが可能なファクシミリ装置およびファクシミリ通信システムを提供することを目的とする。
【課題を解決するための手段】
【００１０】
上記目的を達成するために、本発明のファクシミリ装置は、相手機に収容された用紙に関するプレゼンス情報を取得するとともに、相手機との間でファクシミリ信号を送受信する通信部と、ユーザーの指示を受け付けるとともに、所定の情報を表示する操作パネルと、を備えている。そして、相手機にファクシミリ信号を送信する際、操作パネルは、相手機のプレゼンス情報に基づいて相手機に収容された用紙のサイズを表示し、相手機が互いに異なる複数種類のサイズの用紙を収容しているとき、相手機にて印刷出力させる用紙サイズの指定を受け付け、通信部は、操作パネルが受け付けた用紙サイズでの印刷出力を指示する旨の指示信号を相手機に送信する。
【００１１】
この構成によれば、相手機にファクシミリ信号を送信する際、操作パネルは、相手機のプレゼンス情報に基づいて相手機に収容された用紙のサイズを表示し、相手機が互いに異なる複数種類のサイズの用紙を収容しているとき、相手機にて印刷出力させる用紙サイズの指定を受け付け、通信部は、操作パネルが受け付けた用紙サイズでの印刷出力を指示する旨の指示信号を相手機に送信する。これにより、所定の原稿を自機から相手機にファクシミリ送信する場合、自機のユーザーの所望する用紙サイズで相手機にて印刷出力させることが可能となる。そして、このようになっていると、自機から送った原稿の内容（画像や文書）を適切なサイズで相手機のユーザーに入手させることができ、自機から送った原稿の内容（画像や文書）が相手機のユーザーに正確に伝わる。すなわち、相手機にて印刷出力される内容が不明確になるのを抑制することができる。
【００１２】
上記した構成において、好ましくは、相手機にファクシミリ信号を送信する際、操作パネルは、相手機での印刷出力時の印刷倍率の指定を受け付け、通信部は、操作パネルが受け付けた印刷倍率での印刷出力を指示する旨の指示信号を相手機に送信する。このように構成すれば、所定の原稿を自機から相手機にファクシミリ送信する場合、自機のユーザーの所望する用紙サイズで相手機にて印刷出力させることができることに加えて、自機のユーザーの所望する印刷倍率で相手機にて印刷出力させることもできる。
【００１３】
上記した構成において、好ましくは、操作パネルは、相手機に収容された用紙のサイズ名を指定キーとして表示し、選択された指定キーに対応する用紙サイズを、相手機にて印刷出力させる用紙サイズとして受け付ける。このように構成すれば、分かり易く、指定可能な用紙サイズをユーザーに示すことができる。したがって、ユーザーが用紙サイズの指定を行う際の利便性が向上する。
【００１４】
上記した構成において、好ましくは、操作パネルは、指定キーに加えて、相手機にて印刷出力させる用紙サイズを指定しない旨を受け付けるための非指定キーを表示する。このように構成すれば、用紙サイズの指定は必要ないと考えるユーザーが送信設定するときの利便性を向上させることができる。すなわち、用紙サイズの指定が必要ないと考えるユーザーは、迷うことなく、非指定キーを選択すればよい。
【００１５】
この場合、好ましくは、操作パネルは、非指定キーが選択されたとき、用紙サイズを指定せずにファクシミリ信号の送信を開始する旨を受け付けるための送信開始キーと、ファクシミリ信号の送信を中止する旨を受け付けるための送信中止キーと、を表示する。このように構成すれば、用紙サイズを指定せずにファクシミリ信号を送信する操作、および、ファクシミリ信号の送信そのものを中止する操作の利便性が向上する。
【００１６】
また、本発明のファクシミリ通信システムは、上記したファクシミリ装置と、ファクシミリ装置と通信可能に接続される相手機と、を含む。このように構成すれば、所定の原稿を自機から相手機にファクシミリ送信する場合、自機のユーザーの所望する用紙サイズで相手機にて印刷出力させることができるので、相手機にて印刷出力される内容が不明確になるのを抑制することが可能となる。
【発明の効果】
【００１７】
以上のように、本発明によれば、相手機にて印刷出力される内容が不明確になるのを抑制することが可能なファクシミリ装置およびファクシミリ通信システムを容易に得ることができる。
【図面の簡単な説明】
【００１８】
【図１】本発明のファクシミリ通信システムの概略図
【図２】本発明のファクシミリ装置（複合機）の一例を示した概略図
【図３】本発明のファクシミリ装置（複合機）の操作パネルの一例を示した平面図
【図４】本発明のファクシミリ装置（複合機）の画像形成部を示した概略図
【図５】本発明のファクシミリ装置（複合機）のハードウェア構成を示したブロック図
【図６】本発明の通信シーケンスの一例を示したシーケンス図
【図７】本発明のファクシミリ装置（複合機）の動作（自機から相手機にファクシミリ信号を送信するときの動作）を説明するためのフローチャート
【図８】本発明のファクシミリ装置（複合機）の操作パネルに表示される画面の一例を示した図
【図９】本発明のファクシミリ装置（複合機）の操作パネルに表示される画面の一例を示した図
【図１０】本発明のファクシミリ装置（複合機）の操作パネルに表示される画面の一例を示した図
【図１１】本発明のファクシミリ装置（複合機）の操作パネルに表示される画面の一例を示した図
【図１２】本発明のファクシミリ装置（複合機）の操作パネルに表示される画面の一例を示した図
【発明を実施するための形態】
【００１９】
まず、本発明の一実施形態によるファクシミリ通信システムについて説明する。なお、本実施形態のファクシミリ通信システムは、たとえば、ＳＩＰの通信プロトコルに基づいてプレゼンス情報の送受信を行う。
【００２０】
このファクシミリ通信システムは、図１に示すように、複数台のファクシミリ装置１００（１００Ａおよび１００Ｂ）およびＳＩＰサーバー１５０などがネットワークＮＴを介して互いに接続されることによって構築される。
【００２１】
各ファクシミリ装置１００は、ファックス機能に加えて、コピー機能、スキャン機能およびプリンタ機能などを有する複合機であり、ネットワークＮＴを介して互いに通信可能となっている。なお、図１においては、ファクシミリ装置１００の接続台数を２台としているが、ファクシミリ装置１００の接続台数は特に限定されるものではない。これら各ファクシミリ装置１００の構成については、後に詳細に説明する。
【００２２】
ＳＩＰサーバー１５０は、各ファクシミリ装置１００のセッション確立を実行するサーバーである。また、ＳＩＰサーバー１５０は、たとえば、各ファクシミリ装置１００の状態を示す情報を管理・保持するプレゼンスサーバーとしての機能も有する。すなわち、ＳＩＰサーバー１５０は、たとえば、ファクシミリ装置１００Ａからファクシミリ装置１００Ｂの状態を示すプレゼンス情報の通知依頼を受け付けると、ファクシミリ装置１００Ｂの状態を示す情報を取得し、その情報をプレゼンス情報としてファクシミリ装置１００Ａに通知する。なお、プレゼンス情報としては種々あるが、一例を挙げると、オンライン状態であるか否か（通信可能であるか否か）という情報などである。
【００２３】
次に、図２を参照して、各ファクシミリ装置１００（１００Ａおよび１００Ｂ）の構成について説明する。なお、各ファクシミリ装置１００のそれぞれの構成は互いに同じであってもよいし、異なっていてもよい。以下の説明では、各ファクシミリ装置１００のそれぞれの構成が互いに同じであるとする。
【００２４】
各ファクシミリ装置１００は、操作パネル１０１、画像読取部１０２およびエンジン部（給紙部１０３、搬送路１０４、画像形成部１０５、中間転写部１０６、定着部１０７および両面搬送路１０８）などを備えている。
【００２５】
操作パネル１０１は、たとえば、図２中の破線で示された箇所に配置される。また、操作パネル１０１は、図３に示すように、液晶表示部１１を有する。この液晶表示部１１には、各種設定などを行うためのメニューおよびキーが表示されるとともに、装置状態などを示すメッセージも表示される。なお、自機の状態を示す情報はもちろんのこと、相手機の状態を示す情報（プレゼンス情報）についても、液晶表示部１１に表示することができる。
【００２６】
そして、ユーザーは、液晶表示部１１に表示されたキーを押下することで、各種設定などを行うことができる。なお、液晶表示部１１には、液晶表示部１１に表示されたキーがユーザーによって押下されたときに、その押下位置の座標を検出するためのタッチパネルが設けられている。
【００２７】
また、操作パネル１０１には、テンキー１２やスタートキー１３などのハードキーが設けられている。テンキー１２は、ユーザーが数字入力を行うためのハードキーである。スタートキー１３は、各種機能の実行指示をユーザーから受け付けるためのハードキーである。
【００２８】
さらに、操作パネル１０１には、コピーキー１４、スキャナキー１５、ファックスキー１６およびボックスキー１７などのハードキーも設けられている。そして、コピーキー１４がユーザーによって押下されると、コピー機能を利用する上で必要なキーやメッセージなどが液晶表示部１１に表示される。スキャナキー１５がユーザーによって押下されると、スキャナ機能を利用する上で必要なキーやメッセージなどが液晶表示部１１に表示される。ファックスキー１６がユーザーによって押下されると、ファックス機能を利用する上で必要なキーやメッセージなどが液晶表示部１１に表示される。ボックスキー１７がユーザーによって押下されると、ボックス機能を利用する上で必要なキーやメッセージなどが液晶表示部１１に表示される。なお、ボックス機能とは、ボックスと呼ばれる所定の保存領域（たとえば、後述する記憶部１１３に設けられたフォルダ）に画像読取部１０２で読み取った原稿の電子文書を保存しておく機能である。
【００２９】
図２に戻って、画像読取部１０２は、原稿を読み取り、原稿の画像データを形成する。画像読取部１０２には、図示しないが、露光ランプ、ミラー、レンズおよびイメージセンサーなどの光学系部材が設けられている。この画像読取部１０２は、載置読取用コンタクトガラス２１に載置される原稿にビームを照射し、その原稿の反射ビームを受けたイメージセンサーの各画素の出力値をＡ／Ｄ変換することにより、画像データを生成する。なお、画像読取部１０２による原稿の読み取り時には、載置用コンタクトガラス２１に載置された原稿を原稿カバー２２で押えるようになっている。
【００３０】
給紙部１０３は、記録媒体としての用紙Ｐを収容するカセット３１を複数有し、それら複数のカセット３１に収容された用紙Ｐを搬送路１０４に供給する。また、この給紙部１０３には、カセット３１に収容された用紙Ｐを引き出すピックアップローラー３２や、用紙Ｐの重送を抑制するための分離ローラー３３などが設けられている。
【００３１】
搬送路１０４は、複合機１００の内部において用紙Ｐを搬送するものである。具体的に言うと、給紙部１０３から供給された用紙Ｐは、搬送路１０４によって、中間転写部１０６および定着部１０７をこの順番で通過して排出トレイ１０９に導かれる。この搬送路１０４には、用紙Ｐを中間転写部１０６の手前で待機させ、タイミングを合わせて中間転写部１０６に送り出すレジストローラー４１などが設けられている。
【００３２】
画像形成部１０５は、画像データに基づいてトナー像を形成するものであって、４色分の画像形成部５０（ブラックのトナー像を形成する画像形成部５０Ｂｋ、イエローのトナー像を形成する画像形成部５０Ｙ、シアンのトナー像を形成する画像形成部５０Ｃ、および、マゼンダのトナー像を形成する画像形成部５０Ｍ）と、露光装置５とを備えている。なお、画像形成部５０Ｂｋ、５０Ｙ、５０Ｃおよび５０Ｍは、互いに異なる色のトナー像を形成するが、いずれも基本的に同様の構成である。したがって、以下の説明では、各色を表す符号（Ｂｋ、Ｙ、ＣおよびＭ）を省略する。
【００３３】
各画像形成部５０のそれぞれは、図４に示すように、感光体ドラム１、帯電装置２、現像装置３および清掃装置４を含んでいる。そして、各画像形成部５０は、露光装置５を共通で使用する。
【００３４】
各感光体ドラム１は、外周面にトナー像を担持するものであって、外周面に感光層を有する。各帯電装置２は、対応する感光体ドラム１を一定の電位で帯電させる。各現像装置３は、対応する色の現像剤を収容し、対応する感光体ドラム１にトナーを供給する。各清掃装置４は、対応する感光体ドラム１の清掃を行う。露光装置５は、各感光体１に対して走査露光を行って静電潜像を形成する。
【００３５】
図２に戻って、中間転写部１０６は、画像形成部１０５からトナー像の１次転写を受けた後、用紙Ｐに２次転写を行う。中間転写部１０６は、中間転写ベルト６１と、各画像形成部５０にそれぞれ割り当てられた１次転写ローラー６２Ｂｋ、６２Ｙ、６２Ｃおよび６２Ｍとを少なくとも含んでいる。１次転写ローラー６２Ｂｋ、６２Ｙ、６２Ｃおよび６２Ｍは、対応する画像形成部５０（具体的には、感光体ドラム１）との間で中間転写ベルト６１を挟み込んでいるとともに、転写用電圧（転写バイアス）が印加されるようになっている。
【００３６】
また、中間転写部１０６は、駆動ローラー６３および従動ローラー６４も含んでいる。そして、駆動ローラー６３および従動ローラー６４は、１次転写ローラー６２Ｂｋ、６２Ｙ、６２Ｃおよび６２Ｍと共に、中間転写ベルト６１を張架している。
【００３７】
さらに、中間転写部１０６は、２次転写ローラー６５も含んでいる。この２次転写ローラー６５は、駆動ローラー６３との間で中間転写ベルト６１を挟み込んでいるとともに、転写用電圧（転写バイアス）が印加されるようになっている。
【００３８】
そして、各画像形成部５０で形成されたトナー像は、転写用電圧が印加された１次転写ローラー６２Ｂｋ、６２Ｙ、６２Ｃおよび６２Ｍにより、順次、ずれなく重畳して中間転写ベルト６１に１次転写される。その後、中間転写ベルト６１に１次転写されたトナー像は、転写用電圧が印加された２次転写ローラー６５により、用紙Ｐに２次転写される。
【００３９】
また、中間転写部１０６は、ベルト清掃装置６６も含んでいる。そして、このベルト清掃装置６６によって、中間転写ベルト６１から用紙Ｐへのトナー像の２次転写の後、中間転写ベルト６１の清掃が行われる。
【００４０】
定着部１０７は、用紙Ｐに２次転写されたトナー像を加熱・加圧して定着させるものである。この定着部１０７は、発熱源を内蔵する定着ローラー７１と、定着ローラー７１に圧接される加圧ローラー７２とを含んでいる。そして、トナー像が２次転写された用紙Ｐは、定着ローラー７１と加圧ローラー７２との間を通過することで、加熱・加圧される。これにより、用紙Ｐにトナー像が定着される。
【００４１】
そして、用紙Ｐは、定着部１０７を通過した後、排出トレイ１０９に排出される。これによって、画像形成処理が完了する。
【００４２】
また、両面搬送路１０８は、両面印刷を可能とするものである。この両面搬送路１０８は、定着部１０７の下流側おいて搬送路１０４と分岐し、レジストローラー４１の上流側において搬送路１０４と合流している。そして、両面搬送路１０８には、搬送路１０４との分岐点に配置された切替爪８１、排出トレイ１０９に繋がる排出口１０９ａに配置されているとともに正逆回転の切り換えが可能な排出ローラー８２、および、用紙Ｐを搬送する搬送ローラー８３などが設けられている。
【００４３】
両面印刷を行う場合、切替爪８１は、両面搬送路１０８を閉じるポジションとなり、定着部１０７から送られた用紙Ｐを排出トレイ１０９に導く。また、排出ローラー８２は、ひとまず、正回転して用紙Ｐを排出トレイ１０９に排出する。この後、排出ローラー８２は、用紙Ｐが排出ローラー８２を通過しきる前に逆回転する。このとき、切替爪８１は、両面搬送路１０８を開く方向に回動する。これにより、片面印刷された用紙Ｐは、両面搬送路１０８に導かれる。
【００４４】
両面搬送路１０８に導かれた用紙Ｐは、搬送ローラー８３により搬送され、レジストローラー４１の上流側に至る。そして、再び、中間転写部１０６から定着部１０７へと送られる。このときには、用紙Ｐの表裏が逆転しているので、用紙Ｐの裏面（未印刷面）に対して、２次転写処理および定着処理がなされる。そして、両面印刷が終わった用紙Ｐは、排出トレイ１０９に排出される。
【００４５】
次に、図５を参照して、各ファクシミリ装置１００（１００Ａおよび１００Ｂ）のハードウェア構成について説明する。
【００４６】
各ファクシミリ装置１００は、主制御部１１０を有する。この主制御部１１０は、中央演算処理装置であるＣＰＵ１１１や画像処理部１１２などを含む。また、主制御部１１０は、操作パネル１０１、画像読取部１０２、給紙部１０３、搬送路１０４、画像形成部１０５、中間転写部１０６、定着部１０７および両面搬送路１０８などと接続されており、後述する記憶部１１３に記憶されたプログラムやデータに基づいて各部の制御や演算を行う。なお、主制御部１１０は、全体制御や画像処理を行うメイン制御部と、画像形成や各種回転体を回転させるモーターのオン／オフを制御するエンジン制御部とに分割されていてもよい。
【００４７】
主制御部１１０に接続される操作パネル１０１は、表示制御部１８を有する。この表示制御部１８は、ＣＰＵやＩＣなどからなり、液晶表示部１１の表示を制御する。また、表示制御部１８は、液晶表示部１１（タッチパネル）に表示されたキーがユーザーによって押下されると、タッチパネルの出力を受けて押下位置の座標を特定する。これにより、液晶表示部１１に対してユーザーが押下した位置（選択したキー）が特定される。なお、タッチパネルの出力と押下位置の座標との対応を示すテーブルなどのデータは、たとえば、メモリ１９に記憶される。また、このメモリ１９に、コピー機能、スキャナ機能、ファックス機能およびボックス機能などの各機能を利用する上で必要なキーやメッセージなどを液晶表示部１１に表示するためのデータが記憶されていてもよい。
【００４８】
また、主制御部１１０は、記憶部１１３と接続される。記憶部１１３は、ＲＯＭ１１３ａ、ＲＡＭ１１３ｂおよびＨＤＤ１１３ｃなどの揮発性の記憶装置と不揮発性の記憶装置とを含む。そして、記憶部１１３には各種のプログラムやデータなどが記憶される。たとえば、コピー機能、スキャナ機能、ファックス機能およびボックス機能などの各種機能の制御に必要なプログラムやデータは、ＲＯＭ１１３ａに記憶され、ＲＡＭ１１３ｂに展開される。
【００４９】
また、主制御部１１０は、通信部１１４と接続される。この通信部１１４は、ネットワーク接続を行うためのチップやドライバなどを有している。そして、通信部１１４は、たとえば、コンピューター２００（たとえば、パーソナルコンピューター）と接続される。また、通信部１１４は、ネットワークＮＴを介して、通信先である相手機と接続される（ファクシミリ装置１００Ａおよび１００Ｂが、ネットワークＮＴを介して通信可能に互いに接続されている）。
【００５０】
通信部１１４は、ネットワーク制御部１１４ａおよびプレゼンス機能制御部１１４ｂを含み、たとえば、プレゼンス機能制御部１１４ｂをネットワーク制御部１１４ａにソフト的に内蔵したインターフェースカードの形態をとる。もちろん、ネットワーク制御部１１４ａとプレゼンス機能制御部１１４ｂとをハード的に分離させてもよい。図４では、便宜上、ネットワーク制御部１１４ａとプレゼンス機能制御部１１４ｂとを分離して図示している。
【００５１】
ネットワーク制御部１１４ａは、ネットワークＮＴを介して、相手機との間で通信を行う。プレゼンス機能制御部１１４ｂは、ネットワーク制御部１１４ａに対して、プレゼンス情報の通知依頼を行わせたり、プレゼンス情報の通知依頼の解除を行わせたりする。そして、ネットワーク制御部１１４ａは、通知依頼を行っているプレゼンス情報を受信する。なお、プレゼンス機能制御部１１４ｂに、プレゼンス情報を蓄積するための記憶部１１４ｃを持たせるようにしてもよい。
【００５２】
以下に、図６を参照して、ＳＩＰサーバー１５０を介した通信シーケンスの一例を説明する。なお、以下の説明では、ファクシミリ装置１００Ａを自機とし、ファクシミリ装置１００Ｂを相手機とする。そして、ファクシミリ装置１００Ｂの状態を示すプレゼンス情報の通知依頼およびその通知依頼の解除をファクシミリ装置１００Ａが行うものとする。
【００５３】
まず、ファクシミリ装置１００Ｂは、ＳＩＰサーバー１５０に対してプレゼンス情報を通知している。なお、ファクシミリ装置１００Ｂがプレゼンス情報を通知するタイミングとしては様々であるが、たとえば、ＳＩＰサーバー１５０からプレゼンス情報の通知依頼を受けたときであってもよいし、主電源投入後であってもよい。あるいは、定期的（周期的）に、ファクシミリ装置１００Ｂがプレゼンス情報を通知してもよい。さらに、状態変化があったとき（たとえば、通信不可なエラーが発生したときや、そのエラーから復帰して通信可能になったとき、または、収容する用紙に変更があったときなど）、ファクシミリ装置１００Ｂがプレゼンス情報を通知してもよい。
【００５４】
そして、図６に示す通信シーケンスにおいて、ファクシミリ装置１００Ａは、たとえば、主電源投入後に、ＳＩＰサーバー１５０に対して、ファクシミリ装置１００Ｂの状態を示すプレゼンス情報の通知依頼（ＳＵＢＳＣＲＩＢＥ）を送信する。この通知依頼を受信したＳＩＰサーバー１５０は、成功（２００  ＯＫ）をファクシミリ装置１００Ａに返信する。また、ＳＩＰサーバー１５０は、通知依頼を受けたとき、その時点におけるファクシミリ装置１００Ｂの状態を示すプレゼンス情報をファクシミリ装置１００Ａに通知（ＮＯＴＩＦＹ）する。そして、ＳＩＰサーバー１５０からの通知を受け付けたファクシミリ装置１００Ａは、成功（２００  ＯＫ）をプレゼンスサーバー１５０に返信する。
【００５５】
この後、ＳＩＰサーバー１５０は、ファクシミリ装置１００Ｂからの状態更新を受け付けると、その時点におけるファクシミリ装置１００Ｂの状態を示すプレゼンス情報をファクシミリ装置１００Ａに通知（ＮＯＴＩＦＹ）する。そして、ＳＩＰサーバー１５０からの通知を受け付けたファクシミリ装置１００Ａは、成功（２００  ＯＫ）をＳＩＰサーバー１５０に返信する。
【００５６】
また、ＳＩＰサーバー１５０は、ファクシミリ装置１００Ｂの状態を示すプレゼンス情報の通知依頼の解除（ＳＵＢＳＣＲＩＢＥ（Ｅｘｐｉｒｅｓヘッダ＝０））をファクシミリ装置１００Ａから受け付けると、成功（２００  ＯＫ）をファクシミリ装置１００Ａに返信する。
【００５７】
ところで、プレゼンス情報としては、相手機のネットワークＮＴへの接続状態（オンライン状態／オフライン状態）を示す情報以外に、相手機に収容された用紙に関する情報もある。相手機に収容された用紙に関するプレゼンス情報というのは、どのようなサイズの用紙が相手機に収容されているのかを示す情報である。たとえば、相手機が複数のカセットを有する場合、それら複数のカセットのそれぞれにどのようなサイズの用紙が収容されているのかを示す情報を、プレゼンス情報として相手機から通知してもらうことができる。あるいは、ファクシミリ信号の受信印刷時における印刷倍率がどのような設定（等倍設定／縮小設定）になっているのかを示す情報についても、プレゼンス情報として相手機から通知してもらうことが可能である。
【００５８】
具体的には、自機（ファクシミリ装置１００Ａ）の通信部１１４は、相手機（ファクシミリ装置１００Ｂ）にどのようなサイズの用紙が収容されているのかを示すプレゼンス情報や、相手機（ファクシミリ装置１００Ｂ）でのファクシミリ信号の受信印刷時における印刷倍率がどのような設定になっているのかを示すプレゼンス情報の通知依頼をＳＩＰサーバー１５０に依頼する。そして、ＳＩＰサーバー１５０は、通知依頼を受けたプレゼンス情報を相手機（ファクシミリ装置１００Ｂ）から取得し、そのプレゼンス情報を自機（ファクシミリ装置１００Ａ）の通信部１１４に送信する。このようにして、自機（ファクシミリ装置１００Ａ）は、相手機（ファクシミリ装置１００Ｂ）のプレゼンス情報を取得する。あるいは、自機（ファクシミリ装置１００Ａ）は、ＳＩＰサーバー１５０を介さずに、相手機（ファクシミリ装置１００Ｂ）と直接的に通信を行い、相手機（ファクシミリ装置１００Ｂ）のプレゼンス情報を取得する。
【００５９】
これにより、たとえば、自機から相手機にファクシミリ信号の送信を行うときに、上述したプレゼンス情報を入手しておけば、相手機にて印刷出力される用紙サイズや印刷倍率を事前に把握することができる。
【００６０】
しかし、相手機にて印刷出力される用紙サイズや印刷倍率は、相手機のユーザーによって任意に設定されている。したがって、たとえば、自機のユーザーとしては、相手機においてＡ４用紙に等倍で印刷してほしいと考えていたとしても、そのような設定を相手機のユーザーが行っていない可能性がある。この場合、たとえば、相手機にＡ４用紙が収容されておらずＢ５用紙のみが収容されていたとすると、Ｂ５用紙に縮小されて印刷出力されることがある。あるいは、Ｂ５用紙に等倍で印刷出力されることによって、印刷出力された画像（文書）が途中で切れることもある。
【００６１】
そこで、本実施形態では、自機から相手機へのファクシミリ信号の送信時に、操作パネル１０１は、相手機にて印刷出力させる用紙サイズの指定と、相手機での印刷出力時の印刷倍率の指定と、をユーザーから受け付ける。そして、通信部１１４は、操作パネル１０１が受け付けた用紙サイズおよび印刷倍率での印刷出力を指示する旨の指示信号を相手機に送信する。以下に、図７を参照して、自機から相手機にファクシミリ信号を送信するときの動作について説明する。
【００６２】
まず、図７のフローのスタート時点では、通信部１１４は、相手機に収容された用紙に関するプレゼンス情報、すなわち、相手機の複数のカセットのそれぞれにどのようなサイズの用紙が収容されているのかを示すプレゼンス情報を事前に取得している。なお、相手機のプレゼンス情報は、自機から相手機にファクシミリ信号を送信するときに、相手機から通知してもらうようにしてもよい。あるいは、相手機のプレゼンス情報は、上述したように、相手機が状態更新を行う度に相手機から通知されてもよく、この場合には、相手機のプレゼンス情報は記憶部１１４ｃに蓄積される。したがって、自機から相手機にファクシミリ信号を送信するとき、その時点における相手機のプレゼンス情報として、記憶部１１４ｃに蓄積されたプレゼンス情報を参照してもよい。
【００６３】
そして、図７のフローは、ファックスキー１６がユーザーに押下されることによってスタートする。
【００６４】
ステップＳ１において、操作パネル１０１は、ファクシミリ信号の送信を行う上で必要な各種設定の指示をユーザーから受け付ける。たとえば、操作パネル１０１は、メモリ１９に記憶されたアドレス帳を表示し、そのアドレス帳の中から送信先となる相手機の選択指示を受け付ける。また、ここでは、操作パネル１０１は、画質などの他の設定指示も受け付ける。各種設定を行うための設定画面は、たとえば、ファックスキー１６がユーザーに押下されることによって、操作パネル１０１に表示される。
【００６５】
ステップＳ２において、操作パネル１０１は、プレゼンス情報に基づいて相手機に収容された用紙のサイズを表示し、相手機にて印刷出力させる用紙サイズの指定をユーザーから受け付ける。具体的に言うと、操作パネル１０１は、相手機にて印刷出力させる用紙サイズの指定を受け付けるため、相手機に収容された用紙のサイズ名を指定キーとして表示する。
【００６６】
たとえば、相手機が４つのカセットを有し、それら４つのカセットのそれぞれに、Ａ４用紙、Ｂ５用紙、Ｂ４用紙およびＡ３用紙が収容されているとする。この場合、操作パネル１０１は、図８に示すように、相手機の４つのカセットにそれぞれ付与した識別名（カセット１、カセット２、カセット３およびカセット４）を、各カセットに収容された用紙のサイズ（Ａ４、Ｂ５、Ｂ４およびＡ３）と共に指定キーとして表示する。
【００６７】
そして、操作パネル１０１は、選択された（ユーザーによって押下された）指定キーに対応する用紙サイズを、相手機にて印刷出力させる用紙サイズとして受け付ける。すなわち、指定キーＫ１が選択されると、操作パネル１０１が受け付けた用紙サイズは「Ａ４」となり、指定キーＫ２が選択されると、操作パネル１０１が受け付けた用紙サイズは「Ｂ５」となる。同様に、指定キーＫ３が選択されると、操作パネル１０１が受け付けた用紙サイズは「Ｂ４」となり、指定キーＫ４が選択されると、操作パネル１０１が受け付けた用紙サイズは「Ａ３」となる。言い換えると、操作パネル１０１は、相手機の４つのカセットのうち、相手機での印刷出力時に用紙供給元となるカセットの指定をユーザーから受け付ける。
【００６８】
また、操作パネル１０１は、指定キーＫ１〜Ｋ４に加えて、相手機にて印刷出力させる用紙サイズを指定しない旨をユーザーから受け付けるための非指定キーＫ５も表示する。なお、非指定キーＫ５には、「カセットを指定しない」というメッセージが付されている。たとえば、自機のユーザーとしては「カセット１（Ａ４）」を選択したいと考えているにもかかわらず、相手機にＡ４用紙が収容されていない場合がある。この場合、ユーザーは、Ａ４用紙に対応する指定キーＫ１以外の指定キーＫ２〜Ｋ４、または、非指定キーＫ５を選択することになる。なお、相手機にＡ４用紙が収容されていなければ、操作パネル１０１は、たとえば、相手機にＡ４用紙が収容されていないことを示すメッセージや記号を表示するか、あるいは、Ａ４用紙に対応する指定キーＫ１そのものを表示しない。
【００６９】
ステップＳ２からステップＳ３に移行すると、操作パネル１０１は、相手機にて印刷出力させる用紙サイズの指定をユーザーから受け付けたか否かを判断する。すなわち、操作パネル１０１は、指定キーＫ１〜Ｋ４のいずれかがユーザーによって選択されると、相手機にて印刷出力させる用紙サイズの指定をユーザーから受け付けたと判断し、ステップＳ４に移行する。
【００７０】
ステップＳ４に移行すると、操作パネル１０１は、たとえば、図９に示すような倍率指定画面を表示し、相手機での印刷出力時の印刷倍率の指定をユーザーから受け付ける。すなわち、操作パネル１０１は、相手機での印刷出力時の印刷倍率を等倍にするか縮小（または拡大）するかの指定をユーザーから受け付ける。このため、この倍率指定画面には、「等倍」という識別名を付与した指定キーＫ１１と、「縮小（拡大）」という識別名を付与した指定キーＫ１２とを表示する。
【００７１】
そして、操作パネル１０１は、選択された（ユーザーによって押下された）指定キーに対応する印刷倍率を受け付ける。すなわち、指定キーＫ１１が選択されると、操作パネル１０１が受け付けた印刷倍率は等倍となり、指定キーＫ１２が選択されると、操作パネル１０１が受け付けた印刷倍率は縮小（または拡大）となる。なお、指定キーＫ１２が選択されると、たとえば、図１０に示すような倍率設定画面が操作パネル１０１に表示され、具体的な印刷倍率の指定をユーザーから受け付けるようになっている。
【００７２】
ステップＳ４からステップＳ５に移行すると、操作パネル１０１は、たとえば、図１１に示すように、送信条件が羅列された送信確認画面を表示する。この送信確認画面には、ファクシミリ信号の送信開始の指示をユーザーから受け付けるための送信開始キーＫ２１（「はい」が付されたキー）と、ファクシミリ信号の送信中止の指示をユーザーから受け付けるための送信中止キーＫ２２（「いいえ」が付されたキー）とが表示されている。そして、ユーザーは、送信確認画面を確認した上で問題がなければ、送信開始キーＫ２１を選択する（ファクシミリ信号の送信開始の指示を行う）一方、送信条件を変更または送信そのものを中止したければ、送信中止キーＫ２２を選択する（ファクシミリ信号の送信中止の指示を行う）。
【００７３】
なお、上述の送信確認画面において、プレビューとして、相手機が受信するファクシミリ信号に対応した画像イメージを表示してもよい。
【００７４】
ステップＳ６において、送信開始の指示をユーザーから受け付けていれば（ユーザーが送信開始キーＫ２１を選択（押下）すれば）、ステップＳ７に移行し、通信部１１４は、ファクシミリ信号の送信を開始する。この際、通信部１１４は、操作パネル１０１が受け付けた用紙サイズおよび印刷倍率での印刷出力を指示する旨の指示信号を相手機に送信する。これにより、相手機では、自機のユーザーが所望する用紙サイズおよび印刷倍率で印刷出力が行われる。
【００７５】
なお、ステップＳ７までの間に、主制御部１１０は、画像読取部１０２で読み取った原稿の画像データや、コンピューター２００から通信部１１４が受信した画像データを取得し、取得した画像データを画像処理することによって、ファクシミリ信号として相手機に送信する画像データを生成する。そして、主制御部１１０は、たとえば、ファクシミリ信号の送信を開始するまで、画像データを一時的に記憶部１１３に記憶させる。ここで主制御部１１０が生成する画像データは、たとえば、元原稿のサイズと等倍のサイズである。
【００７６】
一方で、ステップＳ６において、送信開始の指示をユーザーから受け付けなければ（ユーザーが送信中止キーＫ２２を選択（押下）すれば）、ステップＳ２に戻る。
【００７７】
なお、ステップＳ３において、相手機にて印刷出力させる用紙サイズの指定をユーザーから受け付けていなければ（図８に示した用紙サイズ指定画面において非指定キーＫ５がユーザーによって選択（押下）されれば）、ステップＳ８に移行する。そして、ステップＳ８において、操作パネル１０１は、用紙サイズを指定せずにファクシミリ信号の送信を開始する旨の指示をユーザーから受け付けたか否かを判断する。
【００７８】
たとえば、操作パネル１０１は、図１２に示すように、用紙サイズ（カセット）を指定せずにファクシミリ信号の送信を開始するか否かを確認するための確認画面を表示する。この確認画面には、ファクシミリ信号の送信開始の指示をユーザーから受け付けるための送信開始キーＫ３１（「はい」が付されたキー）と、ファクシミリ信号の送信中止の指示をユーザーから受け付けるための送信中止キーＫ３２（「いいえ」が付されたキー）とが表示されている。
【００７９】
そして、送信開始キーＫ３１がユーザーによって選択（押下）されれば、ステップＳ９に移行し、通信部１１４は、用紙サイズおよび印刷倍率を指定せずにファクシミリ信号の送信を開始する。一方で、送信開始キーＫ３２がユーザーによって選択（押下）されれば、ステップＳ１０に移行し、通信部１１４は、ファクシミリ信号の送信を中止する。
【００８０】
なお、ステップＳ９までの間においても、主制御部１１０は、画像読取部１０２で読み取った原稿の画像データや、コンピューター２００から通信部１１４が受信した画像データを取得し、取得した画像データを画像処理することによって、ファクシミリ信号として相手機に送信する画像データを生成する。そして、主制御部１１０は、たとえば、ファクシミリ信号の送信を開始するまで、画像データを一時的に記憶部１１３に記憶させる。
【００８１】
本実施形態では、上記のように、相手機にファクシミリ信号を送信する際、操作パネル１０１は、相手機のプレゼンス情報に基づいて相手機に収容された用紙のサイズを表示し、相手機が互いに異なる複数種類のサイズの用紙を収容しているとき、相手機にて印刷出力させる用紙サイズの指定を受け付け、通信部１１４は、操作パネル１０１が受け付けた用紙サイズでの印刷出力を指示する旨の指示信号を相手機に送信する。これにより、所定の原稿を自機から相手機にファクシミリ送信する場合、自機のユーザーの所望する用紙サイズで相手機にて印刷出力させることが可能となる。そして、このようになっていると、自機から送った原稿の内容（画像や文書）を適切なサイズで相手機のユーザーに入手させることができ、自機から送った原稿の内容（画像や文書）が相手機のユーザーに正確に伝わる。すなわち、相手機にて印刷出力される内容が不明確になるのを抑制することができる。
【００８２】
また、本実施形態では、相手機にファクシミリ信号を送信する際、操作パネル１０１は、相手機での印刷出力時の印刷倍率の指定を受け付け、通信部１１４は、操作パネル１０１が受け付けた印刷倍率での印刷出力を指示する旨の指示信号を相手機に送信する。このように構成すれば、所定の原稿を自機から相手機にファクシミリ送信する場合、自機のユーザーの所望する用紙サイズで相手機にて印刷出力させることができることに加えて、自機のユーザーの所望する印刷倍率で相手機にて印刷出力させることもできる。
【００８３】
また、本実施形態では、操作パネル１０１は、相手機に収容された用紙のサイズ名を指定キー（Ｋ１〜Ｋ４）として表示し、選択された指定キーに対応する用紙サイズを、相手機にて印刷出力させる用紙サイズとして受け付ける。このように構成すれば、分かり易く、指定可能な用紙サイズをユーザーに示すことができる。したがって、ユーザーが用紙サイズの指定を行う際の利便性が向上する。
【００８４】
また、本実施形態では、操作パネル１０１は、指定キーＫ１〜Ｋ４に加えて、相手機にて印刷出力させる用紙サイズを指定しない旨を受け付けるための非指定キーＫ５を表示する。このように構成すれば、用紙サイズの指定は必要ないと考えるユーザーが送信設定するときの利便性を向上させることができる。すなわち、用紙サイズの指定が必要ないと考えるユーザーは、迷うことなく、非指定キーＫ５を選択すればよい。
【００８５】
また、本実施形態では、操作パネル１０１は、非指定キーＫ５が選択されたとき、用紙サイズを指定せずにファクシミリ信号の送信を開始する旨を受け付けるための送信開始キーＫ３１と、ファクシミリ信号の送信を中止する旨を受け付けるための送信中止キーＫ３２と、を表示する。このように構成すれば、用紙サイズを指定せずにファクシミリ信号を送信する操作、および、ファクシミリ信号の送信そのものを中止する操作の利便性が向上する。
【００８６】
なお、今回開示された実施形態は、すべての点で例示であって制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８７】
１００、１００Ａ、１００Ｂ  ファクシミリ装置
１０１  操作パネル
１１４  通信部
Ｋ１、Ｋ２、Ｋ３、Ｋ４  指定キー
Ｋ５  非指定キー
ＮＴ  ネットワーク
【図２】
0005599108.tif 000002
【図３】
0005599108.tif 000003
【図４】
0005599108.tif 000004
【図５】
0005599108.tif 000005
【図６】
0005599108.tif 000006
【図７】
0005599108.tif 000007
【図８】
0005599108.tif 000008
【図９】
0005599108.tif 000009
【図１０】
0005599108.tif 000010
【図１１】
0005599108.tif 000011
【図１２】
0005599108.tif 000012
【図１】
0005599108.tif 000013